(57)【要約】【課題】既存のＢＣＡ規格との互換性を保ちつつ、第１面及び第２面の両面から読取可能なＢＣＡを備えた情報記録媒体を提供すること。【解決手段】この発明の情報記録媒体は、第１面及び第２面を有し、さらに前記第１面からの所定強度の入射光を反射する第１の反射層を含む第１の情報記録層と、前記第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーコード状にバーストカットされた固有情報記録エリアとを備えている。【選択図】      図６
2006127673.tif 000002
【特許請求の範囲】
【請求項１】
第１面及び第２面を有する情報記録媒体であって、
前記第１面からの所定強度の入射光を反射する第１の反射層を含む第１の情報記録層と、
前記第２面からの所定強度の入射光を反射する第２の反射層を含む第２の情報記録層と、
前記第１及び第２の情報記録層を接着する接着層と、
前記第１面及び第２面のどちらか一方の面からの前記所定強度より強い強度の入射光により前記第１及び第２の反射層が媒体固有情報に対応してバーストカットされた固有情報記録エリアと、
を備えたことを特徴とする情報記録媒体。
【請求項２】
前記固有情報記録エリアのバーストカットされなかった領域の反射率ＩＢＨと前記固有情報記録エリアのバーストカットされた領域の反射率ＩＢＬの関係が、ＩＢＬ／ＩＢＨ≦０．８を満たすことを特徴とする請求項１に記載の情報記録媒体。
【請求項３】
前記接着層が、ＩＢＬ／ＩＢＨ≦０．８を満たすための透過率の材料で構成されたことを特徴とする請求項２に記載の情報記録媒体。
【請求項４】
前記固有情報記録エリアは、
第１の情報が記録された第１の情報エリアと、
第２の情報が記録された第２の情報エリアと、
これら第１及び第２の情報エリアによって挟まれたエリアであって、媒体固有情報が記録された第３の情報エリアと、
を備えたことを特徴とする請求項１に記載の情報記録媒体。
【請求項５】
前記第１及び第２の情報は、前記第３の情報エリアの位置を示す情報を含むことを特徴とする請求項４に記載の情報記録媒体。
【請求項６】
第１面及び第２面を有する情報記録媒体であって、
前記第１面からの所定強度の入射光を反射する第１の反射層、及び前記第１面からの前記所定強度より強い強度の入射光により前記第１の反射層が媒体固有情報に対応してバーストカットされた第１の固有情報記録エリアを含む第１の情報記録層と、
前記第２面からの所定強度の入射光を反射する第２の反射層、及び前記第２面からの前記所定強度より強い強度の入射光により前記第２の反射層が媒体固有情報に対応してバーストカットされた第２の固有情報記録エリアを含む第２の情報記録層と、
前記第１及び第２の情報記録層を接着する接着層と、
を備えたことを特徴とする情報記録媒体。
【請求項７】
前記接着層は、入射光を透過しない材料で構成されたことを特徴とする請求項６に記載の情報記録媒体。
【請求項８】
前記第１及び第２の固有情報記録エリアのバーストカットされなかった領域の反射率ＩＢＨと前記第１及び第２の固有情報記録エリアのバーストカットされた領域の反射率ＩＢＬの関係が、ＩＢＬ／ＩＢＨ≦０．８を満たすことを特徴とする請求項６に記載の情報記録媒体。
【請求項９】
情報記録媒体は、第１面からの所定強度の入射光を反射する第１の反射層を含む第１の情報記録層と、第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備え、前記固有情報記録エリアは、第１の情報が記録された第１の情報エリアと、第２の情報が記録された第２の情報エリアと、これら第１及び第２の情報エリアによって挟まれたエリアであって媒体固有情報が記録された第３の情報エリアとを備え、
前記情報記録媒体から情報を再生する情報再生装置であって、
前記所定強度の光ビームを照射し、この光ビームの反射光を検出する光学手段と、
前記光学手段により検出された反射光に反映された前記第１の情報の検出に基づき前記第１の情報の後続の前記媒体固有情報を第１の再生処理により再生し、前記光学手段により検出された反射光に反映された前記第２の情報の検出に基づき前記第２の情報の後続の前記媒体固有情報を第２の再生処理により再生する再生手段と、
を備えたことを特徴とする情報再生装置。
【請求項１０】
前記再生手段による前記第１の再生処理は、前記媒体固有情報を取得した順に再生する処理であり、前記再生手段による前記第２の再生処理は、前記媒体固有情報を取得した順と逆順に再生する処理であることを特徴とする請求項９に記載の情報再生装置。
【請求項１１】
情報記録媒体は、第１面からの所定強度の入射光を反射する第１の反射層を含む第１の情報記録層と、第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備え、前記固有情報記録エリアは、第１の情報が記録された第１の情報エリアと、第２の情報が記録された第２の情報エリアと、これら第１及び第２の情報エリアによって挟まれたエリアであって媒体固有情報が記録された第３の情報エリアとを備え、
前記情報記録媒体から情報を再生する情報再生方法であって、
前記所定強度の光ビームを照射し、この光ビームの反射光を検出し、
前記検出された反射光に反映された前記第１の情報の検出に基づき前記第１の情報の後続の前記媒体固有情報を第１の再生処理により再生し、前記検出された反射光に反映された前記第２の情報の検出に基づき前記第２の情報の後続の前記媒体固有情報を第２の再生処理により再生する、
ことを特徴とする情報再生方法。
【請求項１２】
前記第１の再生処理は、前記媒体固有情報を取得した順に再生する処理であり、前記第２の再生処理は、前記媒体固有情報を取得した順と逆順に再生する処理であることを特徴とする請求項１１に記載の情報再生方法。
【請求項１３】
情報記録媒体は、第１面からの所定強度の入射光を反射する第１の反射層を含む第１の情報記録層と、第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備え、前記固有情報記録エリアは、第１の情報が記録された第１の情報エリアと、第２の情報が記録された第２の情報エリアと、これら第１及び第２の情報エリアによって挟まれたエリアであって媒体固有情報が記録された第３の情報エリアとを備え、
前記情報記録媒体に対して情報を記録する情報記録方法であって、
前記所定強度の光ビームを照射し、この光ビームの反射光を検出し、
前記検出された反射光に反映された前記第１の情報の検出に基づき前記第１の情報の後続の前記媒体固有情報を第１の再生処理により再生し、前記検出された反射光に反映された前記第２の情報の検出に基づき前記第２の情報の後続の前記媒体固有情報を第２の再生処理により再生し、
前記再生された前記媒体固有情報を参照し、所定の情報が反映された光ビームを照射し前記第１及び第２の情報記録層へ前記所定の情報を記録する、
ことを特徴とする情報記録方法。
【請求項１４】
前記第１の再生処理は、前記媒体固有情報を取得した順に再生する処理であり、前記第２の再生処理は、前記媒体固有情報を取得した順と逆順に再生する処理であることを特徴とする請求項１３に記載の情報記録方法。
【発明の詳細な説明】
【技術分野】
【０００１】
本発明は、ＢＣＡ（Burst Cutting Area）を備えた情報記録媒体に関する。また、本発明は、ＢＣＡを備えた情報記録媒体から情報を再生する情報再生装置及び情報再生方法に関する。また、本発明は、ＢＣＡ（Burst Cutting Area）を備えた情報記録媒体に対して情報を記録する情報記録方法に関する。
【背景技術】
【０００２】
ＤＶＤ等の光ディスクには、ＢＣＡと呼ばれる領域が設けられている。このＢＣＡに関する基本的な技術が提案されており、具体的にＢＣＡには、金属反射膜を所定幅で除去したストライプにより情報が記録されている（非特許文献１、pp70-77参照）。
【０００３】
また、ＢＣＡを利用した、光ディスクの不法コピーと光ディスクの海賊版の動作を防止する技術も提案されている（特許文献１参照）。
【０００４】
さらに、第１面及び第２面の両面から読取可能な両面ディスクに対応したＢＣＡの構造や製造方法などの技術も開示されている（特許文献２参照）。
【非特許文献１】National Technical Report VOL43, No3, JUN 1997; "DVDのROMディスクへの個別情報記録技術BCA(Burst Cutting Area)"
【特許文献１】特開平１０−２３３０１９号公報
【特許文献２】特開２００４−８７１２４号公報
【発明の開示】
【発明が解決しようとする課題】
【０００５】
非特許文献１及び特許文献１には、両面記録可能ディスクに対応したＢＣＡの加工方法等に関する技術は開示されていない。また、特許文献２には、第１面及び第２面の両面から読取可能な両面ディスクに対応したＢＣＡの加工方法等に関する技術は開示されているが、この特許文献２に開示されているＢＣＡは、既存のＢＣＡ規格との互換性がない。
【０００６】
本発明の目的は、上記課題を解決するためになされたものであり、既存のＢＣＡ規格との互換性を保ちつつ、第１面及び第２面の両面から読取可能なＢＣＡを備えた情報記録媒体を提供することにある。
【０００７】
また、本発明の目的は、既存のＢＣＡ規格との互換性を保ちつつ、第１面及び第２面の両面から読取可能なＢＣＡを備えた情報記録媒体の第１面及び第２面からＢＣＡに記録された情報を再生することが可能な情報再生装置、情報再生方法、及び情報記録方法を提供することにある。
【課題を解決するための手段】
【０００８】
この発明の情報記録媒体、情報再生装置、情報再生方法、及び情報記録方法は、以下のように構成されている。
【０００９】
（１）この発明は、第１面及び第２面を有する情報記録媒体であって、前記第１面からの所定強度の入射光を反射する第１の反射層を含む第１の情報記録層と、前記第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備えたことを特徴とする情報記録媒体である。
【００１０】
（２）この発明は、第１面及び第２面を有する情報記録媒体であって、前記第１面からの所定強度の入射光を反射する第１の反射層、及び前記第１面からの前記所定強度より強い強度の入射光により前記第１の反射層が媒体固有情報に対応してバーストカットされた第１の固有情報記録エリアを含む第１の情報記録層と、前記第２面からの所定強度の入射光を反射する第２の反射層、及び前記第２面からの前記所定強度より強い強度の入射光により前記第２の反射層が媒体固有情報に対応してバーストカットされた第２の固有情報記録エリアを含む第２の情報記録層と、前記第１及び第２の情報記録層を接着する接着層とを備えたことを特徴とする情報記録媒体である。
【００１１】
（３）情報記録媒体は、第１面からの所定強度の入射光を反射する第１の反射層を含む第１の情報記録層と、第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備え、前記固有情報記録エリアは、第１の情報が記録された第１の情報エリアと、第２の情報が記録された第２の情報エリアと、これら第１及び第２の情報エリアによって挟まれたエリアであって媒体固有情報が記録された第３の情報エリアとを備え、
この発明は、前記情報記録媒体から情報を再生する情報再生装置であって、前記所定強度の光ビームを照射し、この光ビームの反射光を検出する光学手段と、前記光学手段により検出された反射光に反映された前記第１の情報の検出に基づき前記第１の情報の後続の前記媒体固有情報を第１の再生処理により再生し、前記光学手段により検出された反射光に反映された前記第２の情報の検出に基づき前記第２の情報の後続の前記媒体固有情報を第２の再生処理により再生する再生手段とを備えたことを特徴とする情報再生装置である。
【００１２】
（４）情報記録媒体は、第１面からの所定強度の入射光を反射する第１の反射層を含む第１の情報記録層と、第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備え、前記固有情報記録エリアは、第１の情報が記録された第１の情報エリアと、第２の情報が記録された第２の情報エリアと、これら第１及び第２の情報エリアによって挟まれたエリアであって媒体固有情報が記録された第３の情報エリアとを備え、
この発明は、前記情報記録媒体から情報を再生する情報再生方法であって、前記所定強度の光ビームを照射し、この光ビームの反射光を検出し、前記検出された反射光に反映された前記第１の情報の検出に基づき前記第１の情報の後続の前記媒体固有情報を第１の再生処理により再生し、前記検出された反射光に反映された前記第２の情報の検出に基づき前記第２の情報の後続の前記媒体固有情報を第２の再生処理により再生することを特徴とする情報再生方法である。
【００１３】
（５）情報記録媒体は、第１面からの所定強度の入射光を反射する第１の反射層を含む第１の情報記録層と、第２面からの所定強度の入射光を反射する第２の反射層を含む第２の情報記録層と、前記第１及び第２の情報記録層を接着する接着層と、前記第１面及び第２面のどちらか一方の面からの前記所定強度より強い強度の入射光により前記第１及び第２の反射層が媒体固有情報に対応してバーストカットされた固有情報記録エリアとを備え、前記固有情報記録エリアは、第１の情報が記録された第１の情報エリアと、第２の情報が記録された第２の情報エリアと、これら第１及び第２の情報エリアによって挟まれたエリアであって媒体固有情報が記録された第３の情報エリアとを備え、
この発明は、前記情報記録媒体に対して情報を記録する情報記録方法であって、前記所定強度の光ビームを照射し、この光ビームの反射光を検出し、前記検出された反射光に反映された前記第１の情報の検出に基づき前記第１の情報の後続の前記媒体固有情報を第１の再生処理により再生し、前記検出された反射光に反映された前記第２の情報の検出に基づき前記第２の情報の後続の前記媒体固有情報を第２の再生処理により再生し、前記再生された前記媒体固有情報を参照し、所定の情報が反映された光ビームを照射し前記第１及び第２の情報記録層へ前記所定の情報を記録することを特徴とする情報記録方法である。
【発明の効果】
【００１４】
本発明によれば、既存のＢＣＡ規格との互換性を保ちつつ、第１面及び第２面の両面から読取可能なＢＣＡを備えた情報記録媒体を提供できる。
【００１５】
また、本発明によれば、既存のＢＣＡ規格との互換性を保ちつつ、第１面及び第２面の両面から読取可能なＢＣＡを備えた情報記録媒体の第１面及び第２面からＢＣＡに記録された情報を再生することが可能な情報再生装置、情報再生方法、及び情報記録方法を提供できる。
【発明を実施するための最良の形態】
【００１６】
以下、図面を参照し、本発明の実施形態について説明する。
【００１７】
本実施形態では、第１面及び第２面の両面から記録可能でしかも各面において一つの記録層を備えた両面単層ディスク（情報記録媒体）を例として説明する。しかしながら、本発明はこのような両面単層ディスクだけに限定されるものではなく、片面単層、片面２層、両面２層といった他のタイプのディスクにも適用可能である。
【００１８】
図３は、本発明の一例の両面単層の光ディスクＤの第１面（Ａ面）Ｄ１１の概観を示す図である。図４は、本発明の一例の両面単層の光ディスクＤの第２面（Ｂ面）Ｄ２１の概観を示す図である。Ａ面およびＢ面とは便宜上の名前であり、任意のある面をＡ面としたときに反対面をＢ面と呼ぶにすぎない。この図３に示すＢＣＡに形成されたバーコード状のストライプと、図４に示すＢＣＡに形成されたバーコード状のストライプとは、表裏の関係にあたる。つまり、同一のＢＣＡストライプをＡ面から見た状態が図３であり、Ｂ面から見た状態が図４である。光ディスクＤの中心孔ＤＣに沿って、ドーナツ状にＢＣＡが形成されている。このＢＣＡには、例えばディスク固有の情報が記録される。この場合、ＢＣＡは、固有情報記録エリアである。より具体的には、ＢＣＡには、コピープロテクトのための情報等が記録される。
【００１９】
図５は、ＢＣＡにバーコード状のストライプ加工を施す前のディスク（反射層）の状態を示す断面図であり、図６は、ＢＣＡにバーコード状のストライプ加工を施した後のディスク（反射層）の状態を示す断面図である。
【００２０】
図５及び図６に示すように、光ディスクＤは、第１面Ｄ１１及び第２面Ｄ２１を備え、さらに、第１の情報記録層Ｄ１２、第２の情報記録層Ｄ２２、これら第１及び第２の情報記録層を接着する接着層Ｄ３０を備えている。第１の情報記録層Ｄ１２は、第１面Ｄ１１からの所定強度の入射光を反射する第１の反射層Ｄ１３を備えている。同様に、第２の情報記録層Ｄ２２は、第２面Ｄ２１からの所定強度の入射光を反射する第２の反射層Ｄ２３を備えている。
【００２１】
図５に示すように、ストライプ加工前は、ＢＣＡ内の第１面（Ａ面）Ｄ１１側の第１の反射層Ｄ１３が完全な状態で残っており、同様に、ＢＣＡ内の第２面（Ｂ面）Ｄ２１側の第２の反射層Ｄ２３も完全な状態で残っている。図５に示す状態で、例えば第１面（Ａ面）Ｄ１１側から強力なレーザ光を照射すると、照射された部分に対応する第１の反射層Ｄ１３及び第２の反射層Ｄ２３が共に除去され（バーストカットされ）、図６に示すような状態になる。つまり、レーザパワーを十分高くすることで（後述する再生用の光ビームの強度よりも十分高くすることで）、第１の反射層Ｄ１３及び第２の反射層Ｄ２３を同時に除去することができる。このようにして形成されたＢＣＡ上のバーコード状のストライプは、現在のＢＣＡ規格に対応したストライプとなる。しかも、第１面（Ａ面）Ｄ１１側からでも、第２面（Ｂ面）Ｄ２１側からでも、読み取り可能なストライプとなる。
【００２２】
次に、上記説明したＢＣＡからの再生信号について説明する。図７は、ＢＣＡから得られる再生信号のハイレベルとローレベルの関係を示す図である。図７に示すように、ＢＣＡ内の光が反射しないレベルをＩＢＬと定義し、ＢＣＡ内の光が反射するレベルをＩＢＨと定義する。つまり、ＢＣＡ内のバーストカットされた領域の反射レベルをＩＢＬと定義し、ＢＣＡ内のバーストカットされなかった領域の反射レベルをＩＢＨと定義する。このとき、第１面（Ａ面）Ｄ１１側からＢＣＡを再生したとき、ＩＢＬ／ＩＢＨ≦０．８の条件を満たすように光ディスクを設計する。同様に、第２面（Ｂ面）Ｄ２１側からＢＣＡを再生したときも、ＩＢＬ／ＩＢＨ≦０．８の条件を満たすように光ディスクを設計する。つまり、上記条件を満たすような光透過率の接着層Ｄ３０を採用する。
【００２３】
次に、図８及び図９を参照して、ＢＣＡにバーコード状のストライプで記録されるデータの変調規則について説明する。図８は、第１面（Ａ面）Ｄ１１側からＢＣＡを再生したときに得られる再生信号と記録データとの関係を示す図である。図９は、第２面（Ｂ面）Ｄ１１側からＢＣＡを再生したときに得られる再生信号と記録データとの関係を示す図である。
【００２４】
ＢＣＡにバーコード状のストライプで記録されるデータは、ＰＥ（Ｐｈａｓｅ  Ｅｎｃｏｄｉｎｇ）によって変調され、ＲＺ記録されたものである。つまり、図８に示すように、記録データの“１”はＰＥ後に“０１”になり、記録データの“０”はＰＥ後に“１０”となる。この変調されたデータがＲＺ記録される。
【００２５】
第１面（Ａ面）Ｄ１１再生時のディスクの回転方向と、第２面（Ｂ面）Ｄ２１再生時のディスクの回転方向は、同一である。このため、第１面（Ａ面）Ｄ２１側からＢＣＡを再生したときに得られる再生データの並びと、第２面（Ｂ面）Ｄ２１側からＢＣＡを再生したときに得られる再生データの並びは、逆の関係になる。つまり、図９に示すように、ＰＥ後の“１０”が記録データの“１”であり、ＰＥ後の“０１”が記録データの“０”である。
【００２６】
次に、図１０及び図１１を参照して、ＢＣＡのデータフォーマットについて説明する。図１０は、第１面（Ａ面）Ｄ１１側から見たＢＣＡのデータの並びを示す図である。第１面（Ａ面）Ｄ１１側から見たＢＣＡのデータの並びは、ＢＣＡ規格のデータフォーマットと同一である。つまり、図１０に示すように、ＢＣＡは、“ＢＣＡ  ｐｒｅａｍｂｌｅ  ｆｉｅｌｄ”(第１の情報エリア)，“ＢＣＡ  ＤＡＴＡ  ｆｉｅｌｄ”（第３の情報エリア），“ＢＣＡ  Ｐｏｓｔａｍｂｌｅ  ｆｉｅｌｄ”（第２の情報エリア）により構成されている。つまり、“ＢＣＡ  ｐｒｅａｍｂｌｅ  ｆｉｅｌｄ”と“ＢＣＡ  Ｐｏｓｔａｍｂｌｅ  ｆｉｅｌｄ”により、“ＢＣＡ  ＤＡＴＡ  ｆｉｅｌｄ”が挟まれている。このうち、“ＢＣＡ  ｐｒｅａｍｂｌｅ  ｆｉｅｌｄ”および“ＢＣＡ  Ｐｏｓｔａｍｂｌｅ  ｆｉｅｌｄ”には、予め定めた特定のパターンが記録されている。具体的には、“ＢＣＡ  Ｐｏｓｔａｍｂｌｅ  ｆｉｅｌｄ”の先頭には、特定パターンとして“ＢＣＡ  Ｒｅｓｙｎｃ”が存在し、“ＢＣＡ  Ｐｒｅａｍｂｌｅ  ｆｉｅｌｄ”の最後には特定パターンとして“ＢＣＡ  Ｓｙｎｃ”が存在する。
【００２７】
後述する情報記録再生装置は、“ＢＣＡ  ｐｒｅａｍｂｌｅ  ｆｉｅｌｄ”及び“ＢＣＡ  Ｐｏｓｔａｍｂｌｅ  ｆｉｅｌｄ”に記録されたデータを検出することにより、“ＢＣＡ  ＤＡＴＡ  ｆｉｅｌｄ”の開始位置と終了位置を検出し、かつ再生データのバイト同期を取ることができる。なお、“ＢＣＡ  ＤＡＴＡ  ｆｉｅｌｄ”には、例えば、ディスク固有の情報が記録される。より具体的には、“ＢＣＡ  ＤＡＴＡ  ｆｉｅｌｄ”には、コピープロテクトのための情報等が記録される。
【００２８】
一方、図１１は、第２面（Ｂ面）Ｄ２１側から見たＢＣＡのデータの並びを示す図である。第２面（Ｂ面）Ｄ２１側からＢＣＡに記録されたデータを読み出すと、ＢＣＡのデータの末尾から先頭に向かってデータを読み出すことになる。結果的に、図１１に示すように “ＢＣＡ  Ｐｏｓｔａｍｂｌｅ  ｆｉｅｌｄ”、“ＢＣＡ  ＤＡＴＡ  ｆｉｅｌｄ”、“ＢＣＡ  Ｐｒｅａｍｂｌｅ  ｆｉｅｌｄ”の順でデータが読み出されることになる。すると、“ＢＣＡ  Ｐｒｅａｍｂｌｅ  ｆｉｅｌｄ”および“ＢＣＡ  Ｐｏｓｔａｍｂｌｅ  ｆｉｅｌｄ”の特定パターンも逆順で読み出されることになる。しかしながら、“ＢＣＡ  Ｐｏｓｔａｍｂｌｅ  ｆｉｅｌｄ”の先頭には、特定パターンとしての“ＢＣＡ  Ｒｅｓｙｎｃ”が存在し、“ＢＣＡ  Ｐｒｅａｍｂｌｅ  ｆｉｅｌｄ”の最後には特定パターンとしての“ＢＣＡ  Ｓｙｎｃ”が存在する。このため、後述する情報記録再生装置が、逆順にデータを読み出しても、これら特定パターンを検出することで、第１面（Ａ面）Ｄ１１の再生時と同様に、“ＢＣＡ  ＤＡＴＡ  ｆｉｅｌｄ”の開始位置と終了位置を検出し、かつ再生データのバイト同期を取ることができる。
【００２９】
次に、ＢＣＡに記録されたデータを再生するＢＣＡ再生回路について説明する。図１は、ＢＣＡに記録されたデータを再生するＢＣＡ再生回路の一例を示す図である。また、図２は、このＢＣＡ再生回路を適用した情報記録再生装置の一例を示す図である。
【００３０】
光ピックアップ１０は、光ディスクＤに記録されたデータを読み取る。ＢＣＡにバーコード状のストライプで記録されたデータも、光ピックアップ１０により読み取られる。光ピックアップ１０は、ＢＣＡのバーコード状のストライプに対応した電気信号を出力する。低域通過フィルタ（ＬＰＦ）２４１は、この電気信号の高周波成分を除去する。低域通過フィルタ（ＬＰＦ）２４１として、例えば５５０Ｈｚのカットオフ周波数をもつ２次のベッセルフィルタが用いられる。２値化回路２４２は、高周波成分が除去された再生信号を“Ｈ”または“Ｌ”の２レベルの信号に変換する。この２値化処理は、予め定めたしきい値と再生信号レベルの比較によって実現可能である。
【００３１】
データセパレータ２５１は、２値化された信号を基準クロックに同期したバイナリデータとして出力する。この出力されるデータが、図８及び図９に示すＰＥ変調後のデータに相当する。ＢＣＡ  Ｓｙｎｃ検出／データ復調部２５２は、ＰＥ変調後のデータ列から、ＢＣＡ  Ｓｙｎｃを検出し、この検出を基準としてＢＣＡデータのバイト同期信号を生成する。一方のＢＣＡ  ＲｅＳｙｎｃ検出／データ復調部２５３は、ＢＣＡ  ＲｅＳｙｎｃを検出し、この検出を基準としてＢＣＡデータのバイト同期信号を生成する。
【００３２】
ＢＣＡ  Ｓｙｎｃの検出に対応して、切替えスイッチ２５４はＢＣＡ  Ｓｙｎｃ検出／データ復調部２５２とメモリ２５５とを接続する。また、ＢＣＡ  ＲｅＳｙｎｃの検出に対応して、切替えスイッチ２５４はＢＣＡ  ＲｅＳｙｎｃ検出／データ復調部２５３とメモリ２５５とを接続する。ＢＣＡ  Ｓｙｎｃの検出により、ＢＣＡ  Ｓｙｎｃ検出／データ復調部２５２とメモリ２５５とが接続された場合は、ＰＥ変調後のバイナリデータはメモリ２５５の予め定めた領域に、ディスクから読み出された順序で格納される。ＢＣＡ  ＲｅＳｙｎｃの検出により、ＢＣＡ  ＲｅＳｙｎｃ検出／データ復調部２５３とメモリ２５５とが接続された場合は、ＰＥ変調後のバイナリデータはメモリ２５５の予め定めた領域に、ディスクから読み出された順序と逆の順序で格納される。
【００３３】
メモリ２５５に格納されたデータは、ＰＥ復調処理および誤り訂正処理を経て、再生出力される。これにより、第１面（Ａ面）Ｄ１１側からＢＣＡを再生した場合と、第２面（Ｂ面）Ｄ２１側からＢＣＡを再生した場合とで、同じ再生結果を得ることができる。つまり、どちらの面から再生しても、目的のＢＣＡデータを得ることができる。
【００３４】
また、ＢＣＡを構成するＢＣＡ  ＤＡＴＡ  ｆｉｅｌｄ内に、第１面（Ａ面）Ｄ１１用のデータと第２面（Ｂ面）用のデータとを論理的に分けて記録するようにしてもよい。
【００３５】
続いて、図２を参照して、図１に示すＢＣＡ再生回路を適用した情報記録再生装置について説明する。この情報記録再生装置は、光ディスクＤに情報を記録したり、これら光ディスクＤに記録されたデータを再生したりする。
【００３６】
図２に示すように、情報記録再生装置は、光ピックアップ１０、変調回路２１、記録再生制御部２２、レーザ制御回路２３、信号処理回路２４、復調回路２５、アクチュエータ２６、フォーカストラッキング制御部３０を備えている。
【００３７】
また、光ピックアップ１０は、レーザ１１、コリメートレンズ１２、偏光ビームスプリッタ（以下ＰＢＳ）１３、４分の１波長板１４、対物レンズ１５、集光レンズ１６、光検出器１７を備えている。
【００３８】
また、フォーカストラッキング制御部３０は、フォーカスエラー信号生成回路３１、フォーカス制御回路３２、トラッキングエラー信号生成回路３３、トラッキング制御回路３４を備えている。
【００３９】
まず、この光ディスク装置による光ディスクＤに対する情報の記録について説明する。変調回路２１は、所定の変調方式に従ってホストから提供される記録情報（データシンボル）をチャネルビット系列に変調する。記録情報に対応したチャネルビット系列は、記録再生制御部２２に入力される。さらに、この記録再生制御部２２には、ホストからの記録再生指示（この場合、記録指示）が入力される。記録再生制御部２２は、アクチュエータ２６に制御信号を出力し、目的の記録位置に光ビームが適切に集光されるように光ピックアップを駆動させる。さらに、記録再生制御部２２は、チャネルビット系列をレーザ制御回路２３に供給する。レーザ制御回路２３は、チャネルビット系列をレーザ駆動波形に変換し、レーザ１１を駆動させる。つまり、レーザ制御回路２３は、レーザ１１をパルス駆動させる。これに伴い、レーザ１１は、所望のビット系列に対応した記録用の光ビームを照射する。レーザ１１から照射された記録用の光ビームは、コリメートレンズ１２で平行光となり、ＰＢＳ１３に入射し、透過する。ＰＢＳ１３を透過したビームは、４分の１波長板１４を透過し、対物レンズ１５により光ディスクＤの情報記録面に集光される。集光された記録用の光ビームは、フォーカス制御回路３２並びにアクチュエータ２６によるフォーカス制御、及びにトラッキング制御回路３４並びにアクチュエータ２６によるトラッキング制御により、記録面上に最良の微小スポットが得られる状態で維持される。
【００４０】
続いて、この情報記録再生装置による光ディスクＤからのデータの再生について説明する。記録再生制御部２２には、ホストからの記録再生指示（この場合、再生指示）が入力される。記録再生制御部２２は、ホストからの再生指示に従い、レーザ制御回路２３に再生制御信号を出力する。レーザ制御回路２３は、再生制御信号に基づきレーザ１１を駆動させる。これに伴いレーザ１１は、再生用の光ビーム（所定強度の光ビーム）を照射する。レーザ１１から照射された再生用の光ビームは、コリメートレンズ１２で平行光となり、ＰＢＳ１３に入射し、透過する。ＰＢＳ１３を透過した光ビームは４分の１波長板１４を透過し、対物レンズ１５により光ディスクＤの情報記録面に集光される。集光された再生用の光ビームは、フォーカス制御回路３２並びにアクチュエータ２６によるフォーカス制御、及びトラッキング制御回路３４並びにアクチュエータ２６によるトラッキング制御により、記録面上に最良の微小スポットが得られる状態で維持される。なお、トラッキング制御の詳細については後に詳しく説明する。このとき、光ディスクＤ上に照射された再生用の光ビームは、情報記録面内の反射膜あるいは反射性記録膜により反射される。反射光は対物レンズ１５を逆方向に透過し、再度平行光となる。反射光は４分の１波長板１４を透過し、入射光に対して垂直な偏光を持ち、ＰＢＳ１３では反射される。ＰＢＳ１３で反射されたビームは集光レンズ１６により収束光となり、光検出器１７に入射される。光検出器１７は、例えば、４分割のフォトディテクタから構成されている。光検出器１７に入射した光束は光電変換されて電気信号となり増幅される。増幅された信号は信号処理回路２４にて等化され２値化され、復調回路２５に送られる。復調回路２５では所定変調方式に対応した復調動作が施されて、再生データが出力される。
【００４１】
また、光検出器１７から出力される電気信号の一部に基づき、フォーカスエラー信号生成回路３１によりフォーカスエラー信号が生成される。同様に、光検出器１７から出力される電気信号の一部に基づき、トラッキングエラー信号生成回路３３によりトラッキングエラー信号が生成される。フォーカス制御回路３２は、フォーカスエラー信号に基づきアクチュエータ２８を制御し、ビームスポットのフォーカスを制御する。トラッキング制御回路３４は、トラッキングエラー信号に基づきアクチュエータ２８を制御し、ビームスポットのトラッキングを制御する。
【００４２】
次に、図１２に示すフローチャートを参照して、光ディスクＤの再生処理を説明する。最初に、光ピックアップ１０によりＢＣＡが再生される。つまり、ＢＣＡに対して、再生用の光ビームが照射され、この光ビームの反射光が検出される（ＳＴ１１）。反射光に反映されたＢＣＡ  Ｓｙｎｃの検出に基づき（ＳＴ１２、ＹＥＳ）、このＢＣＡ  Ｓｙｎｃの後続のＢＣＡ  ＤＡＴＡ  ｆｉｅｌｄに記録された媒体固有情報が第１の再生処理により再生される（ＳＴ１３）。或いは、反射光に反映されたＢＣＡ  ＲｅＳｙｎｃの検出に基づき（ＳＴ１４、ＹＥＳ）、ＢＣＡ  ＲｅＳｙｎｃの後続のＢＣＡ  ＤＡＴＡ  ｆｉｅｌｄに記録された媒体固有情報が第２の再生処理により再生される（ＳＴ１５）。第１の再生処理は、媒体固有情報を取得した順に再生する処理であり、第２の再生処理は、媒体固有情報を取得した順と逆順に再生する処理である。ＢＣＡ  ＤＡＴＡ  ｆｉｅｌｄに記録された媒体固有情報の再生に続いて、光ディスクＤに記録されたコンテンツデータが再生される（ＳＴ１６）。
【００４３】
次に、図１３に示すフローチャートを参照して、光ディスクＤの記録処理を説明する。最初に、光ピックアップ１０によりＢＣＡが再生される。つまり、ＢＣＡに対して、再生用の光ビームが照射され、この光ビームの反射光が検出される（ＳＴ２１）。反射光に反映されたＢＣＡ  Ｓｙｎｃの検出に基づき（ＳＴ２２、ＹＥＳ）、このＢＣＡ  Ｓｙｎｃの後続のＢＣＡ  ＤＡＴＡ  ｆｉｅｌｄに記録された媒体固有情報が第１の再生処理により再生される（ＳＴ２３）。或いは、反射光に反映されたＢＣＡ  ＲｅＳｙｎｃの検出に基づき（ＳＴ２４、ＹＥＳ）、ＢＣＡ  ＲｅＳｙｎｃの後続のＢＣＡ  ＤＡＴＡ  ｆｉｅｌｄに記録された媒体固有情報が第２の再生処理により再生される（ＳＴ２５）。第１の再生処理は、媒体固有情報を取得した順に再生する処理であり、第２の再生処理は、媒体固有情報を取得した順と逆順に再生する処理である。ＢＣＡ  ＤＡＴＡ  ｆｉｅｌｄに記録された媒体固有情報の再生に続いて、光ディスクＤに対してコンテンツデータが記録される（ＳＴ２６）。
【００４４】
以上により、ディスクの表側及び裏側から読み取り可能でしかもＢＣＡ規格と互換性のあるＢＣＡを備えた光ディスクを提供することができる。また、このような光ディスクの表側及び裏側からＢＣＡのデータを再生することが可能な情報再生装置及び情報記録装置を提供することができる。
【００４５】
上記において、図５及び図６を参照して光ディスクＤのＢＣＡの加工手順（第１例）を説明したが、この発明はこれだけに限定されるものではない。例えば、図１４〜図１６に示すような光ディスクＤのＢＣＡの加工手順（第２例）を採用するようにしてもよい。
【００４６】
ＤＶＤ等の両面ディスクは、０．６ｍｍの厚さの媒体２枚を貼り合わせた構造となっている。図１４は、媒体２枚の貼り合わせ前で且つＢＣＡストライプの加工前のディスクの断面を示す図である。第１の情報記録層Ｄ１２は、樹脂基板と第１の反射層Ｄ１３により構成されている。同様に、第２の情報記録層Ｄ２２は、樹脂基板と第２の反射層Ｄ２３により構成されている。図１４に示す状態で、例えば第１面（Ａ面）Ｄ１１側から強力なレーザ光を照射すると、図１５に示すようにＢＣＡストライプを加工することができる。同様に、図１４に示す状態で、例えば第２面（Ｂ面）Ｄ２１側から強力なレーザ光を照射すると、図１５に示すようにＢＣＡストライプを加工することができる。つまり、独立したＢＣＡストライプを加工することができる。
【００４７】
次に、これら第１の情報記録層Ｄ１２及び第２の情報記録層Ｄ２２を接着層３０により貼り合わせることにより、図１６に示すように、第１の情報記録層Ｄ１２及び第２の情報記録層Ｄ２２を備えた光ディスクＤが生成される。なお、接着層３０には、再生時に用いる所定強度のレーザ光を透過しない材料を採用する。
【００４８】
これにより、第１面（Ａ面）Ｄ１１からＢＣＡを再生したときに、第２の情報記録層Ｄ２２側のＢＣＡからの信号の干渉を避けることができる。同様に、第２面（Ｂ面）Ｄ２１からＢＣＡを再生したときに、第１の情報記録層Ｄ１２側のＢＣＡからの信号の干渉を避けることができる。また、ＢＣＡからの再生信号が、図７に示すＩＢＬ／ＩＢＨ≦０．８の条件を満たすように光ディスクを設計する。以上のようにして、既存のＢＣＡ規格との互換を保ちつつ、両面ディスクの各記録面用のＢＣＡデータを記録することができる。この場合、第１面（Ａ面）Ｄ１１側のＢＣＡデータも、第２面（Ｂ面）Ｄ２１側のＢＣＡデータも、読み出された順に再生するだけでよい。
【００４９】
以上により、再生用のレーザ光を透過しない非透過の接着層による二つの記録面の張り合わせにより、ディスクの表面用及び裏面用のＢＣＡを備えた光ディスクを提供することができる。
【００５０】
次に、本発明に掛かるディスクの製造方法についてさらに詳しく説明する。図１７に光ディスク作製の手順を簡単に示す。光ディスクでは情報を有するピットやグルーブを有するスタンパを始めに形成する。図１７において、φ220mm6tのガラス板１にスピナーを用いて感光性フォトレジスト２を塗布する。感光性フォトレジスト２が塗布されたレジスト板を例えば波長351nmのガスレーザを光源とする原盤露光機を用いてピット３等のパターンを露光する。それをアルカリ現像液で現像するとパターン４が形成される。パターンの形成された原盤は例えばＮｉ等でメッキを行いガラス原盤から剥離すると、パターンが転写されたスタンパ５が形成される。スタンパ５は射出成形機６にセットされて成形が行われる。ＤＶＤ等のディスクでは成形樹脂にポリカーボネイトを使用し成形基板が作製される。成形工程では各種のパラメータを調整して、パターンの転写性、基板の反り、複屈折、基板厚等の特性を向上させる。成形基板は、メディアの種類によってスパッタ装置による成膜やスピナーによる色素膜のコートが行われる。ＤＶＤ−ＲＯＭではＡｌやＡｇの反射膜７が、ＤＶＤ−ＲＡＭでは多層の記録膜が成膜される。成膜された基板は別の成膜基板もしくは成膜していないダミー基板と貼り合わせてディスク８が完成する。貼り合わせ方法には、紫外線効果樹脂をスピナーでコートした後、紫外線を照射して固める方法が簡便さから広く使用されている。紫外線効果樹脂以外に粘着シートで貼り合わせることも可能である。
【００５１】
貼り合わせて完成したディスクに、最後にＢＣＡを形成する。ＢＣＡは先に説明した原盤露光の工程で、最内周にカッティングを行う方法もあるが、それでは同じスタンパから作成したディスクのＢＣＡが全て同じ内容になる。そこでディスク毎に高パワーのレーザを照射して反射膜を除去する方法が取られる。装置は、例えば日立コンピュータ機器製の初期化装置をＢＣＡ用にチューニングしたものなどが用いられている。赤外波長のレーザで単層ＲＯＭディスクのＢＣＡを作製する場合、レーザパワー４０００ｍＷ、線速度５ｍ／ｓ、半径方向送り６ｕｍ／回転、の条件で作製できる。
【００５２】
さて本発明では、両面同時にＢＣＡを作製する第一の構成と、両面を独立に加工し各信号が干渉しない構造にする第二の構成がある。どちらも基板を貼り合わせる構造であるが、貼り合わせに用いるＵＶ樹脂材料（又は粘着シート）とその厚さを変えることで使い分けができる。すなわち第一の構成では、貼り合わせ層を薄くしレーザ透過率の高い材料を用いる。例えば貼り合わせ層厚を大体10〜30μｍ程度にするのが好ましい。
【００５３】
一方、第二の構造では、貼り合わせ層は厚くして、レーザ透過率の低い材料を用いればよい。第二の構造では製造原価の問題はあるが、不透明な基材に粘着材を付けた粘着シートを用いれば、両層を完全に分離できる。ＵＶ樹脂材料を用いる場合には、50μｍ以上の厚さにすれば、両層間の干渉を無視できる状態になる。
【００５４】
但し、片面２層再生ディスクに関しては、再生レーザ入射面から両層の信号を読み取る必要があるため、貼り合わせ層は適度の厚さに規定され、透過率もできるだけ高い材料を使い、奥の層の読み取りに支障がない構成にしなければいけない。このような目的では、第一の構造を用いることが望ましい。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５６】
【図１】ＢＣＡに記録されたデータを再生するＢＣＡ再生回路の一例を示す図である。
【図２】このＢＣＡ再生回路を適用した情報記録再生装置の一例を示す図である。
【図３】本発明の一例の両面単層の光ディスクＤの第１面（Ａ面）の概観を示す図である。
【図４】本発明の一例の両面単層の光ディスクＤの第２面（Ｂ面）の概観を示す図である。
【図５】ＢＣＡにバーコード状のストライプ加工を施す前のディスク（反射層）の状態を示す断面図である。
【図６】ＢＣＡにバーコード状のストライプ加工を施した後のディスク（反射層）の状態を示す断面図である。
【図７】ＢＣＡから得られる再生信号のハイレベル（ＩＢＨ）とローレベル（ＩＢＬ）の関係を示す図である。
【図８】第１面（Ａ面）側からＢＣＡを再生したときに得られる再生信号と記録データとの関係を示す図である。
【図９】第２面（Ｂ面）側からＢＣＡを再生したときに得られる再生信号と記録データとの関係を示す図である。
【図１０】第１面（Ａ面）側から見たＢＣＡのデータの並びを示す図である。
【図１１】第２面（Ｂ面）側から見たＢＣＡのデータの並びを示す図である。
【図１２】光ディスクの再生処理を説明するフローチャートである。
【図１３】光ディスクの記録処理を説明するフローチャートである。
【図１４】媒体２枚の貼り合わせ前で且つＢＣＡストライプの加工前のディスクの断面を示す図である。
【図１５】媒体２枚の貼り合わせ前で且つＢＣＡストライプの加工後のディスクの断面を示す図である。
【図１６】媒体２枚の貼り合わせ後のディスクの断面を示す図である。
【図１７】光ディスク作製の手順を示す図である。
【符号の説明】
【００５７】
Ｄ…光ディスク、Ｄ１１…第１面（Ａ面）、Ｄ１２…第１の情報記録装置、Ｄ１３…第１の反射層、Ｄ２１…第２面（Ｂ面）、Ｄ２２…第２の情報記録装置、Ｄ２３…第２の反射層、Ｄ３０…接着層、１０…光ピックアップ、２４…信号処理回路、２５…復調回路、２５２…ＢＣＡ  Ｓｙｎｃ検出／データ復調部、２５３…ＢＣＡ  ＲｅＳｙｎｃ検出／データ復調部
【図１】
2006127673.tif 000003
【図２】
2006127673.tif 000004
【図３】
2006127673.tif 000005
【図４】
2006127673.tif 000006
【図５】
2006127673.tif 000007
【図６】
2006127673.tif 000008
【図７】
2006127673.tif 000009
【図８】
2006127673.tif 000010
【図９】
2006127673.tif 000011
【図１０】
2006127673.tif 000012
【図１１】
2006127673.tif 000013
【図１２】
2006127673.tif 000014
【図１３】
2006127673.tif 000015
【図１４】
2006127673.tif 000016
【図１５】
2006127673.tif 000017
【図１６】
2006127673.tif 000018
【図１７】
2006127673.tif 000019